【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
短い遅延時間での伝送が要求される短遅延データをスペクトル拡散で変調する拡散変調部と、
高い伝送レートでの伝送が要求される高レートデータをＯＦＤＭで多重変調するＯＦＤＭ変調部と、
前記拡散変調部による変調の結果得られる信号と前記ＯＦＤＭ変調部による変調の結果得られる信号とを多重化する多重化部と、
前記多重化部が多重化した信号を送信する送信部とを有する
送信装置と、
前記送信装置から送信された信号を、伝送路を介して受信する受信部と、
前記受信部で受信した受信信号から、前記短遅延データを推定するスペクトル拡散復調部と、
前記スペクトル拡散復調部が推定した前記短遅延データの推定結果に基づいて、前記拡散変調部による変調の結果得られる信号から前記ＯＦＤＭ変調部による変調の結果得られる信号が受ける干渉成分を推定する干渉推定部と、
前記受信信号から前記干渉推定部で推定された干渉成分を除去する減算部と、
前記減算部で得られた、前記干渉成分が除去された信号から、前記高レートデータを推定するＯＦＤＭ復調部と
を有する受信装置と
を備え、
前記スペクトル拡散復調部は、
前記受信信号からスペクトル拡散された信号を推定する逆拡散部と、
前記逆拡散部で推定した信号を復調し、前記短遅延データを推定する復調部とを有し、
前記逆拡散部は、
前記受信信号から遅延プロファイルを推定する遅延プロファイル推定部と、
前記受信信号に含まれるスペクトル拡散された信号の主波と遅延波を推定し、前記遅延プロファイル推定部で推定された遅延プロファイルを用いて前記主波と前記遅延波を合成して、前記スペクトル拡散された信号を推定するＲＡＫＥ受信部と
を有する
ことを特徴とする多重伝送システム。
【請求項２】
前記干渉推定部は、
前記復調部による前記短遅延データの推定結果に対し、前記拡散変調部による変調及び拡散と同じ変調及び拡散を行って、前記干渉成分を推定する
ことを特徴とする請求項１に記載の多重伝送システム。
【請求項３】
前記干渉推定部は、
前記スペクトル拡散復調部による前記短遅延データの推定結果に対し、前記変調及び拡散を行い、これによって得られる、推定した拡散信号成分と、前記遅延プロファイル推定部で推定した遅延プロファイルとから前記干渉成分を推定する
ことを特徴とする請求項２に記載の多重伝送システム。
【請求項４】
前記送信装置は、
前記拡散変調部の出力の電力を所定のレベルに調整する拡散信号乗算部と、
前記ＯＦＤＭ変調部の出力の電力を所定のレベルに調整するＯＦＤＭ信号乗算部と
をさらに備え、
前記多重化部は、前記拡散信号乗算部の出力と、前記ＯＦＤＭ信号乗算部の出力とを多重化する
ことを特徴とする請求項１から３のいずれか一項に記載の多重伝送システム。
【請求項５】
短い遅延時間での伝送が要求される第１乃至第Ｉ（Ｉは２以上の整数）の短遅延データを、それぞれ互いに直交する異なる拡散符号を用いてスペクトル拡散で変調する第１乃至第Ｉの拡散変調部と、
高い伝送レートでの伝送が要求される高レートデータをＯＦＤＭで多重変調するＯＦＤＭ変調部と、
前記第１乃至第Ｉの拡散変調部による変調の結果得られる第１乃至第Ｉの信号と、前記ＯＦＤＭ変調部による変調の結果得られる信号とを多重化する多重化部と、
前記多重化部が多重化した信号を送信する送信部と
を有する送信装置と、
前記送信装置から送信された信号を、伝送路を介して受信する受信部と、
前記受信部で受信した受信信号から、それぞれ前記第１乃至第Ｉの短遅延データを推定する第１乃至第Ｉのスペクトル拡散復調部と、
それぞれ前記第１乃至第Ｉのスペクトル拡散復調部による前記第１乃至第Ｉの短遅延データの推定結果に基づいて、前記第１乃至第Ｉの拡散変調部による変調の結果得られる前記第１乃至第Ｉの信号から前記ＯＦＤＭ変調部による変調の結果得られる信号が受ける第１乃至第Ｉ干渉成分を推定する第１乃至第Ｉの干渉推定部と、
前記第１乃至第Ｉの干渉推定部で推定された、前記第１乃至第Ｉの干渉成分を加算して、前記第１乃至第Ｉの信号から前記ＯＦＤＭ変調部による変調の結果得られる信号が受ける干渉成分を算出する加算部と、
前記受信信号から前記加算部で算出された干渉成分を除去する減算部と、
前記減算部で得られた、前記干渉成分が除去された信号から、前記高レートデータを推定するＯＦＤＭ復調部と
を有する受信装置と
を備え、
前記第１乃至第Ｉのスペクトル拡散復調部の各々は、
前記受信信号からスペクトル拡散された信号を推定する逆拡散部と、
前記逆拡散部で推定した信号を復調し、前記短遅延データを推定する復調部とを有し、
前記第１乃至第Ｉのスペクトル拡散復調部の逆拡散部は、
前記受信信号から遅延プロファイルを推定する遅延プロファイル推定部と、
前記受信信号に含まれるスペクトル拡散された信号の主波と遅延波を推定し、前記遅延プロファイル推定部で推定された遅延プロファイルを用いて前記主波と前記遅延波を合成して、前記スペクトル拡散された信号を推定するＲＡＫＥ受信部とを有する
ことを特徴とする多重伝送システム。
【請求項６】
前記第１乃至第Ｉの干渉推定部は、それぞれ前記第１乃至第Ｉのスペクトル拡散復調部の復調部による前記短遅延データの推定結果に対し、前記第１乃至第Ｉの拡散変調部による変調及び拡散と同じ変調及び拡散を行って、前記第１乃至第Ｉの干渉成分を推定する
ことを特徴とする請求項５に記載の多重伝送システム。
【請求項７】
前記第１乃至第Ｉの干渉推定部は、それぞれ前記第１乃至第Ｉのスペクトル拡散復調部による前記短遅延データの推定結果に対し、前記変調及び拡散を行い、これによって得られる、推定した拡散信号成分と、第１乃至第Ｉのスペクトル拡散復調部の前記遅延プロファイル推定部で推定した遅延プロファイルとから前記干渉成分を推定する
ことを特徴とする請求項６に記載の多重伝送システム。
【請求項８】
前記送信装置は、
前記第１乃至第Ｉの拡散変調部の出力の電力を所定のレベルに調整する第１乃至第Ｉの拡散信号乗算部と、
前記ＯＦＤＭ変調部の出力の電力を所定のレベルに調整するＯＦＤＭ信号乗算部とをさらに備え、
前記多重化部は、前記第１乃至第Ｉの拡散信号乗算部の出力と、前記ＯＦＤＭ信号乗算部の出力とを多重化する
ことを特徴とする請求項５から７のいずれか一項に記載の多重伝送システム。
【請求項９】
送信装置と受信装置とを用いて行う多重伝送方法において、
前記送信装置において実行されるステップであって、
短い遅延時間での伝送が要求される短遅延データをスペクトル拡散で変調する拡散変調ステップと、
高い伝送レートでの伝送が要求される高レートデータをＯＦＤＭで多重変調するＯＦＤＭ変調ステップと、
前記拡散変調ステップによる変調の結果得られる信号と前記ＯＦＤＭ変調ステップによる変調の結果得られる信号とを多重化する多重化ステップと、
前記多重化ステップが多重化した信号を送信する送信ステップとを有し、
前記受信装置において実行されるステップであって、
前記送信装置から送信された信号を、伝送路を介して受信する受信ステップと、
前記受信ステップで受信した受信信号から、前記短遅延データを推定するスペクトル拡散復調ステップと、
前記スペクトル拡散復調ステップが推定した前記短遅延データの推定結果に基づいて、前記拡散変調ステップによる変調の結果得られる信号から前記ＯＦＤＭ変調ステップによる変調の結果得られる信号が受ける干渉成分を推定する干渉推定ステップと、
前記受信信号から前記干渉推定ステップで推定された干渉成分を除去する減算ステップと、
前記減算ステップで得られた、前記干渉成分が除去された信号から、前記高レートデータを推定するＯＦＤＭ復調ステップとを有し、
前記スペクトル拡散復調ステップは、
前記受信信号からスペクトル拡散された信号を推定する逆拡散ステップと、
前記逆拡散ステップで推定した信号を復調し、前記短遅延データを推定する復調ステップとを有し、
前記逆拡散ステップは、
前記受信信号から遅延プロファイルを推定する遅延プロファイル推定ステップと、
前記受信信号に含まれるスペクトル拡散された信号の主波と遅延波を推定し、前記遅延プロファイル推定ステップで推定された遅延プロファイルを用いて前記主波と前記遅延波を合成して、前記スペクトル拡散された信号を推定するＲＡＫＥ受信ステップとを有する
ことを特徴とする多重伝送方法。
【請求項１０】
送信装置と受信装置を用いて行う多重伝送方法であって、
前記送信装置において実行されるステップであって、
短い遅延時間での伝送が要求される第１乃至第Ｉ（Ｉは２以上の整数）の短遅延データを、それぞれ互いに直交する異なる拡散符号を用いてスペクトル拡散で変調する第１乃至第Ｉの拡散変調ステップと、
高い伝送レートでの伝送が要求される高レートデータをＯＦＤＭで多重変調するＯＦＤＭ変調ステップと、
前記第１乃至第Ｉの拡散変調ステップによる変調の結果得られる第１乃至第Ｉの信号と、前記ＯＦＤＭ変調ステップによる変調の結果得られる信号とを多重化する多重化ステップと、
前記多重化ステップが多重化した信号を送信する送信ステップとを有し、
前記受信装置で実行されるステップであって、
前記送信装置から送信された信号を、伝送路を介して受信する受信ステップと、
前記受信ステップで受信した受信信号から、それぞれ前記第１乃至第Ｉの短遅延データを推定する第１乃至第Ｉのスペクトル拡散復調ステップと、
それぞれ前記第１乃至第Ｉのスペクトル拡散復調ステップによる前記第１乃至第Ｉの短遅延データの推定結果に基づいて、前記第１乃至第Ｉの拡散変調ステップによる変調の結果得られる前記第１乃至第Ｉの信号から前記ＯＦＤＭ変調ステップによる変調の結果得られる信号が受ける第１乃至第Ｉ干渉成分を推定する第１乃至第Ｉの干渉推定ステップと、
前記第１乃至第Ｉの干渉推定ステップで推定された、前記第１乃至第Ｉの干渉成分を加算して、前記第１乃至第Ｉの信号から前記ＯＦＤＭ変調ステップによる変調の結果得られる信号が受ける干渉成分を算出する加算ステップと、
前記受信信号から前記加算ステップで算出された干渉成分を除去する減算ステップと、
前記減算ステップで得られた、前記干渉成分が除去された信号から、前記高レートデータを推定するＯＦＤＭ復調ステップとを有し、
前記第１乃至第Ｉのスペクトル拡散復調ステップの各々は、
前記受信信号からスペクトル拡散された信号を推定する逆拡散ステップと、
前記逆拡散ステップで推定した信号を復調し、前記短遅延データを推定する復調ステップとを有し、
前記第１乃至第Ｉのスペクトル拡散復調ステップの逆拡散ステップは、
前記受信信号から遅延プロファイルを推定する遅延プロファイル推定ステップと、
前記受信信号に含まれるスペクトル拡散された信号の主波と遅延波を推定し、前記遅延プロファイル推定ステップで推定された遅延プロファイルを用いて前記主波と前記遅延波を合成して、前記スペクトル拡散された信号を推定するＲＡＫＥ受信ステップとを有する
ことを特徴とする多重伝送方法。
【手続補正２】
【補正対象書類名】明細書
【補正対象項目名】００１６
【補正方法】変更
【補正の内容】
【００１６】
本発明の一つの態様の多重伝送システムは、
短い遅延時間での伝送が要求される短遅延データをスペクトル拡散で変調する拡散変調部と、
高い伝送レートでの伝送が要求される高レートデータをＯＦＤＭで多重変調するＯＦＤＭ変調部と、
前記拡散変調部による変調の結果得られる信号と前記ＯＦＤＭ変調部による変調の結果得られる信号とを多重化する多重化部と、
前記多重化部が多重化した信号を送信する送信部とを有する
送信装置と、
前記送信装置から送信された信号を、伝送路を介して受信する受信部と、
前記受信部で受信した受信信号から、前記短遅延データを推定するスペクトル拡散復調部と、
前記スペクトル拡散復調部が推定した前記短遅延データの推定結果に基づいて、前記拡散変調部による変調の結果得られる信号から前記ＯＦＤＭ変調部による変調の結果得られる信号が受ける干渉成分を推定する干渉推定部と、
前記受信信号から前記干渉推定部で推定された干渉成分を除去する減算部と、
前記減算部で得られた、前記干渉成分が除去された信号から、前記高レートデータを推定するＯＦＤＭ復調部と
を有する受信装置と
を備え、
前記スペクトル拡散復調部は、
前記受信信号からスペクトル拡散された信号を推定する逆拡散部と、
前記逆拡散部で推定した信号を復調し、前記短遅延データを推定する復調部とを有し、
前記逆拡散部は、
前記受信信号から遅延プロファイルを推定する遅延プロファイル推定部と、
前記受信信号に含まれるスペクトル拡散された信号の主波と遅延波を推定し、前記遅延プロファイル推定部で推定された遅延プロファイルを用いて前記主波と前記遅延波を合成して、前記スペクトル拡散された信号を推定するＲＡＫＥ受信部と
を有する
ことを特徴とする。
【手続補正３】
【補正対象書類名】明細書
【補正対象項目名】００１７
【補正方法】変更
【補正の内容】
【００１７】
本発明の他の態様の多重伝送システムは、
短い遅延時間での伝送が要求される第１乃至第Ｉ（Ｉは２以上の整数）の短遅延データを、それぞれ互いに直交する異なる拡散符号を用いてスペクトル拡散で変調する第１乃至第Ｉの拡散変調部と、
高い伝送レートでの伝送が要求される高レートデータをＯＦＤＭで多重変調するＯＦＤＭ変調部と、
前記第１乃至第Ｉの拡散変調部による変調の結果得られる第１乃至第Ｉの信号と、前記ＯＦＤＭ変調部による変調の結果得られる信号とを多重化する多重化部と、
前記多重化部が多重化した信号を送信する送信部と
を有する送信装置と、
前記送信装置から送信された信号を、伝送路を介して受信する受信部と、
前記受信部で受信した受信信号から、それぞれ前記第１乃至第Ｉの短遅延データを推定する第１乃至第Ｉのスペクトル拡散復調部と、
それぞれ前記第１乃至第Ｉのスペクトル拡散復調部による前記第１乃至第Ｉの短遅延データの推定結果に基づいて、前記第１乃至第Ｉの拡散変調部による変調の結果得られる前記第１乃至第Ｉの信号から前記ＯＦＤＭ変調部による変調の結果得られる信号が受ける第１乃至第Ｉ干渉成分を推定する第１乃至第Ｉの干渉推定部と、
前記第１乃至第Ｉの干渉推定部で推定された、前記第１乃至第Ｉの干渉成分を加算して、前記第１乃至第Ｉの信号から前記ＯＦＤＭ変調部による変調の結果得られる信号が受ける干渉成分を算出する加算部と、
前記受信信号から前記加算部で算出された干渉成分を除去する減算部と、
前記減算部で得られた、前記干渉成分が除去された信号から、前記高レートデータを推定するＯＦＤＭ復調部と
を有する受信装置と
を備え、
前記第１乃至第Ｉのスペクトル拡散復調部の各々は、
前記受信信号からスペクトル拡散された信号を推定する逆拡散部と、
前記逆拡散部で推定した信号を復調し、前記短遅延データを推定する復調部とを有し、
前記第１乃至第Ｉのスペクトル拡散復調部の逆拡散部は、
前記受信信号から遅延プロファイルを推定する遅延プロファイル推定部と、
前記受信信号に含まれるスペクトル拡散された信号の主波と遅延波を推定し、前記遅延プロファイル推定部で推定された遅延プロファイルを用いて前記主波と前記遅延波を合成して、前記スペクトル拡散された信号を推定するＲＡＫＥ受信部とを有する
ことを特徴とする。